(57)【要約】【課題】タッチパネルに画像を表示させる表示装置において、直感的な操作に対応させない場合であってもユーザによる操作性を向上できるようにする。【解決手段】表示装置においては、タッチパネルに画像を表示させる表示処理（Ｓ１３）と、タッチパネルの表面において物体を移動させる操作を表す移動操作を検出する移動操作検出処理（Ｓ１８）と、移動操作が検出されると、操作キーを使用するよう報知を行う報知処理（Ｓ１４）と、を実施する。このような表示装置によれば、操作キーを使用するよう報知するので、ユーザに気付かせやすくすることができる。よって、タッチパネルを直感的な操作に対応させない場合であってもユーザによる操作性を向上させることができる。【選択図】図４
2015191283.tif 000002
【特許請求の範囲】
【請求項１】
画像を表示可能なタッチパネルと、
前記タッチパネルに表示された画像に対する指示を入力する操作キーと、
前記タッチパネルまたは前記操作キーへのユーザによる操作に応じて前記タッチパネルに表示させる画像を生成する処理を行う制御部と、
を備え、
前記制御部は、
前記タッチパネルに画像を表示させる表示処理と、
前記タッチパネルの表面において物体を移動させる操作を表す移動操作を検出する移動操作検出処理と、
前記移動操作が検出されると、前記操作キーを使用するよう報知を行う報知処理と、
を実施することを特徴とする表示装置。
【請求項２】
請求項１に記載の表示装置において、
前記制御部は、
ユーザが前記移動操作を入力する画像として前記操作キーと関連付けられた対象画像が前記タッチパネルに表示されているか否かを判断する判断処理を実施し、
前記報知処理では、前記対象画像が前記タッチパネルに表示されている場合において前記移動操作が検出されると、前記操作キーを使用するよう報知を行うこと
を特徴とする表示装置。
【請求項３】
請求項１または請求項２に記載の表示装置において、
前記報知処理では、前記タッチパネルに前記操作キーを使用する旨を表す誘導表示を表示させること
を特徴とする表示装置。
【請求項４】
請求項３に記載の表示装置において、
前記制御部は、
前記誘導表示を行ってからの時間を計時する計時処理と、
前記計時処理により計時する時間が規定時間に達すると、前記誘導表示に代えて、前記誘導表示が表示される前の画像を表す前画像を前記タッチパネルに表示させる第１報知解除処理と、
を実施することを特徴とする表示装置。
【請求項５】
請求項３または請求項４に記載の表示装置において、
前記制御部は、
前記誘導表示を表示させている際に、前記操作キーが操作されると、前記誘導表示に代えて、前記誘導表示が表示される前の画像を表す前画像を前記タッチパネルに表示させる第２報知解除処理
を実施することを特徴とする表示装置。
【請求項６】
請求項３〜請求項５の何れか１項に記載の表示装置において、
前記報知処理では、前記誘導表示が表示されているときに、ユーザが前記操作キーを視認する際の視認のしやすさを表す視認レベルを高くすること
を特徴とする表示装置。
【請求項７】
請求項４〜請求項６の何れか１項に記載の表示装置において、
前記報知処理では、前記誘導表示の後に表示された前記前画像が表示されているときに、ユーザが前記操作キーを視認する際の視認のしやすさを表す視認レベルを高くすること
を特徴とする表示装置。
【請求項８】
請求項１〜請求項７の何れか１項に記載の表示装置において、
前記報知処理では、ユーザが前記操作キーを視認する際の視認のしやすさを表す視認レベルを高くすること
を特徴とする表示装置。
【請求項９】
請求項８に記載の表示装置において、
前記操作キーを複数備え、
前記複数の操作キーのうちの少なくとも１つは前記移動操作に対応する有効キーとして設定されており、
前記報知処理では、前記有効キーの前記視認レベルを高くすること
を特徴とする表示装置。
【請求項１０】
請求項８または請求項９に記載の表示装置において、
前記操作キーは、発光部を備え、
前記報知処理では、前記操作キーが有する発光部を発光させること
を特徴とする表示装置。
【請求項１１】
請求項６〜請求項１０の何れか１項に記載の表示装置において、
前記制御部は、
前記視認レベルを高くしているときに、前記操作キーが操作されると、前記視認レベルを高くする前のレベルに戻す第３報知解除処理を実施すること
を特徴とする表示装置。
【請求項１２】
請求項１１に記載の表示装置において、
前記操作キーを複数備え、
前記複数の操作キーのうちの少なくとも１つは前記移動操作に対応する有効キーとして設定されており、
前記報知処理では、前記有効キーの前記視認レベルを高くし、
前記第３報知解除処理では、前記視認レベルを高くしているときに、前記有効キーが操作されると、前記視認レベルを高くする前のレベルに戻すこと
を特徴とする表示装置。
【請求項１３】
請求項１〜請求項１２の何れか１項に記載の表示装置において、
前記制御部は、
前記移動操作が検出されると、前記移動操作の種類を特定する操作種類特定処理を実施し、
前記報知処理において、規定の種類の前記移動操作に対応する前記操作キーを使用するよう報知を行うこと
を特徴とする表示装置。
【請求項１４】
請求項１３に記載の表示装置において、
前記操作キーは、前記タッチパネルに表示された画像の移動方向を指定するための方向キーとして構成されており、
前記操作種類特定処理では、前記規定の種類の前記移動操作として、前記タッチパネルの表面を払う操作を表すフリック操作を特定すること
を特徴とする表示装置。
【請求項１５】
請求項１４に記載の表示装置において、
前記方向キーとして上下左右のそれぞれに対応する方向キーを備え、
前記操作種類特定処理では、前記移動操作の方向も特定し、
前記報知処理では、前記移動操作の方向が上下の何れかである場合に上下のうちの少なくとも一方に対応する方向キーにおいてユーザが前記操作キーを視認する際の視認のしやすさを表す視認レベルを高くし、前記移動操作の方向が左右の何れかである場合に左右のうちの少なくとも一方に対応する方向キーにおける前記視認レベルを高くすること
を特徴とする表示装置。
【請求項１６】
請求項１５に記載の表示装置において、
前記報知処理では、前記移動操作の方向と反対方向の方向キーにおける前記視認レベルのみを高くすること
を特徴とする表示装置。
【請求項１７】
用紙に印刷を行う印刷部と、
前記印刷部による印刷設定を表示可能なタッチパネルと、
前記タッチパネルに表示された画像に対する指示を入力する操作キーと、
前記タッチパネルまたは前記操作キーへの操作に応じて前記タッチパネルに表示させる画像を生成する処理を行う制御部と、
を備え、
前記操作キーは、前記タッチパネルによる画像の移動方向を指定するための方向キーとして構成されており、
前記制御部は、
前記タッチパネルに画像を表示させる表示処理と、
前記タッチパネルの表面を払う操作を表すフリック操作を表す移動操作を検出する移動操作検出処理と、
前記移動操作が検出されると、前記操作キーを使用するよう報知を行う報知処理と、
を実施することを特徴とする印刷装置。
【発明の詳細な説明】
【技術分野】
【０００１】
本発明は、タッチパネルに画像を表示させる表示装置、および表示装置の機能を備えた印刷装置に関する。
【背景技術】
【０００２】
上記の表示装置として、タッチパネル上のフリック操作に応じて画像を移動させて表示させるものが知られている（例えば、特許文献１参照）。
【先行技術文献】
【特許文献】
【０００３】
【特許文献１】特開２０１４−００６６６８号公報
【発明の概要】
【発明が解決しようとする課題】
【０００４】
ところで、表示装置においては、フリック操作、画像を拡大または縮小させるピンチアウト操作やピンチイン操作等の、直感的な操作に応じて画像の表示態様を変更するものがある。このように、直感的な操作に応じて画像の表示態様を変更しようとすると、アニメーション表示を行う必要があり、この際の処理負荷が大きいため、処理負荷低減のために直感的な操作には対応させない場合がある。このような表示装置においては、ユーザはこの表示装置が直感的な操作に対応してないことを認識しにくいため、何度も直感的な操作を繰り返すなど、無駄な操作をさせてしまうという問題点があった。
【０００５】
そこで、このような問題点を鑑み、タッチパネルに画像を表示させる表示装置において、直感的な操作に対応させない場合であってもユーザによる操作性を向上できるようにすることを本発明の目的とする。
【課題を解決するための手段】
【０００６】
本発明の表示装置においては、画像を表示可能なタッチパネルと、タッチパネルに表示された画像に対する指示を入力する操作キーと、タッチパネルまたは操作キーへのユーザによる操作に応じてタッチパネルに表示させる画像を生成する処理を行う制御部と、を備え、制御部は、タッチパネルに画像を表示させる表示処理と、タッチパネルの表面において物体を移動させる操作を表す移動操作を検出する移動操作検出処理と、移動操作が検出されると、操作キーを使用するよう報知を行う報知処理と、を実施する。
【０００７】
また、本発明の印刷装置においては、用紙に印刷を行う印刷部と、印刷部による印刷設定を表示可能なタッチパネルと、タッチパネルに表示された画像に対する指示を入力する操作キーと、タッチパネルまたは操作キーへの操作に応じてタッチパネルに表示させる画像を生成する処理を行う制御部と、を備え、操作キーは、タッチパネルによる画像の移動方向を指定するための方向キーとして構成されており、制御部は、タッチパネルに画像を表示させる表示処理と、タッチパネルの表面を払う操作を表すフリック操作を表す移動操作を検出する移動操作検出処理と、移動操作が検出されると、操作キーを使用するよう報知を行う報知処理と、を実施する。
【０００８】
このような表示装置や印刷装置によれば、操作キーを使用するよう報知するので、ユーザに気付かせやすくすることができる。よって、タッチパネルを直感的な操作に対応させない場合であってもユーザによる操作性を向上させることができる。
【０００９】
なお、本発明は、表示装置や印刷装置の制御部が実施する各処理をコンピュータによる処理として実現するためのプログラムとしてもよい。また、各請求項の記載は、可能な限りにおいて任意に組み合わせることができる。この際、発明の目的を達成できる範囲内において一部構成を除外してもよい。
【図面の簡単な説明】
【００１０】
【図１】本発明が適用された印刷装置１を示す斜視図である。
【図２】入出力部３０の具体例を示す説明図である。
【図３】印刷装置１の構成の電気的接続関係を示すブロック図である。
【図４】制御部１０のＣＰＵ１１が実行する第１実施形態および第２実施形態のメイン処理を示すフローチャートである。
【図５】第１実施形態においてメイン処理のうちの画面更新処理を示すフローチャートである。
【図６】タッチパネル３１における操作例および表示例を示す説明図である。
【図７】第１実施形態においてメイン処理のうちのプッシュ操作処理を示すフローチャートである。
【図８】第２実施形態の画面更新処理を示すフローチャートである。
【図９】第２実施形態のプッシュ操作処理を示すフローチャートである。
【図１０】第３実施形態のメイン処理を示すフローチャートである。
【図１１】第３実施形態の画面更新処理を示すフローチャートである。
【図１２】第３実施形態のプッシュ操作処理を示すフローチャートである。
【図１３】第４実施形態のメイン処理を示すフローチャートである。
【図１４】第４実施形態の画面更新処理を示すフローチャートである。
【図１５】第４実施形態のプッシュ操作処理を示すフローチャートである。
【図１６】第５実施形態のメイン処理を示すフローチャートである。
【図１７】第５実施形態の画面更新処理を示すフローチャートである。
【図１８】第５実施形態のプッシュ操作処理を示すフローチャートである。
【図１９】方向キーの視認レベルを高くする際の例を示す説明図である。
【発明を実施するための形態】
【００１１】
以下に本発明にかかる実施の形態を図面と共に説明する。
［第１実施形態］
［本実施形態の構成］
本発明が適用された印刷装置１は、図１に示すように、印刷装置１の本体部１５における上面に、ユーザとのやりとりを行う入出力部３０を備えている。入出力部３０は、図２に示すように、タッチパネル３１と、複数の操作キー３２とを備えている。
【００１２】
タッチパネル３１は、画像を表示する表示部、およびユーザの操作を受け付ける入力部として機能する周知のタッチパネルとして構成されている。
複数の操作キー３２は、上下左右の各方向を示す方向キー３３と、電源キー等のその他のキー３４とを備えている。方向キー３３としては、上方向キー３３Ａ、下方向キー３３Ｂ、左方向キー３３Ｃ、右方向キー３３Ｄを備えている。
【００１３】
次に、印刷装置１の電気的な接続関係について説明する。印刷装置１は、図３に示すように、制御部１０と、印刷部２０と、入出力部３０とを備えている。
制御部１０は、ＣＰＵ１１およびＲＯＭ、ＲＡＭ等のメモリ１２を備えた周知のコンピュータとして構成されている。ＣＰＵ１１は、メモリ１２に格納されたプログラムに応じた処理を実施する。特に、制御部１０は、後述する各種処理を実施することによって、タッチパネル３１への表示や、操作キー３２への点灯等の各種制御を行う。
【００１４】
印刷部２０は、制御部１０からの指令に応じて用紙に画像を印刷する周知のプリンタとして機能する。印刷部２０が印刷を行う際の印字濃度や用紙サイズ等の印刷設定は、入出力部３０が操作されることによって設定可能とされている。
【００１５】
入出力部３０は、前述のタッチパネル３１および操作キー３２を備えている。また、それぞれの操作キー３２には、発光部３２Ａを備えており、この発光部３２Ａは、制御部１０からの指令に応じて発光する。
【００１６】
また、タッチパネル３１や操作キー３２に対する操作は、その操作内容が制御部１０において認識されるよう構成されている。また、タッチパネル３１は制御部１０からの指令に応じた画像を生成し表示させる。
【００１７】
ここで、タッチパネル３１は、ユーザの指やペン等の物体が接触した位置や接触した状態から離された位置を検出し、これらの位置の情報を制御部１０に送る。制御部１０は、タッチパネル３１において、これらの位置の情報を検出することでユーザがどのような操作を行ったかを特定する。
【００１８】
ここで、制御部１０は、ユーザによってタッチパネル３１上のある位置が押されるプッシュ操作、およびタッチパネル３１の表面において物体を移動させる操作を表す移動操作を検出する。移動操作には、例えば、タッチパネル３１上を払われるフリック操作、タッチパネル３１上の複数の点を触れつつ移動されるピンチイン操作またはピンチアウト操作が含まれ、制御部１０はこれらの操作を検出可能に構成されている。
【００１９】
ただし、制御部１０は、これらの操作のうち、プッシュ操作のみに対応し、移動操作には対応しない。つまり、プッシュ操作がされたときには操作を受け付けて設定や指示の受け付け等の各種処理を実施し、移動操作がされたときには設定や指示の受け付け等の各種処理を実施しない。
【００２０】
移動操作は、複数の画像がある方向に並んだ画像であってタッチパネル３１にその一部だけ表示された画像を、表示されている画像に替えて表示されていない画像を表示させる際のフリック操作として、或いはタッチパネル３１に表示された画像の拡大や縮小を行う際のピンチアウト操作やピンチイン操作として、利用されがちな操作であり、制御部１０が移動操作に対応しようとすると、画像を滑らかに変化させるために多くの画像を高速で変更するアニメーション処理が必要となり、処理負荷が増大するためである。本実施形態では、移動操作に対応しないことで処理負荷を軽減するが、移動操作に対応しないことをユーザに報知するための以下に示す処理を実施する。
【００２１】
［本実施形態の処理］
印刷装置１の制御部１０において、ＣＰＵ１１は、図４に示すメイン処理を実施する。メイン処理は、例えば印刷装置１において印刷時の設定を行う旨が操作キー３２から入力されると開始される処理である。
【００２２】
メイン処理では、図４に示すように、まず、タイマ（カウンタ）をリセットする（Ｓ１０）。なお、このタイマは、Ｓ９４の処理等でカウントアップされる。続いて、方向キーガイド表示について表示を行わない「なし」に設定するとともに、方向キー強調表示について強調表示を行わない「なし」に設定する（Ｓ１２）。
【００２３】
ここで、方向キーガイド表示とは、方向キー３３を使用するよう促すメッセージを含む画像を示す。また、方向キー強調表示とは、使用すべき方向キー３３を点灯させる等して、ユーザの視認性を高くすることを示す。
【００２４】
続いて、印刷時の設定を行うためのメニュー画像をタッチパネル３１に表示させる（Ｓ１３）。この処理では、表示させる画像の種別を取得する。ここでいう画像の種別とは、上下の方向キー３３を受け付ける画面か否か、左右の方向キー３３を受け付ける画面か否かの情報が含まれる。つまり、複数の画像がある方向に並んだ画像の一部を表示させる場合、複数の画像が上下（前後）方向に並んでいる画像であれば上下の方向キー３３を受け付ける画面とし、複数の画像が左右方向に並んでいる画像であれば左右の方向キー３３を受け付ける画面とする。
【００２５】
続いて、画面更新処理を実施する（Ｓ１４）。画面更新処理は、タッチパネル３１に表示させる画像を更新したり、操作キー３２の発光部３２Ａを選択的に発光させたりする処理である。
【００２６】
画面更新処理では、図５に示すように、まず、方向キーガイド表示について表示を行う「あり」に設定されており、かつ方向キー強調表示について強調表示を行う「あり」に設定されているか否かを判定する（Ｓ７２）。方向キーガイド表示「なし」または方向キー強調表示「なし」に設定されていれば（Ｓ７２：ＮＯ）、Ｓ１０８の処理に移行する。
【００２７】
方向キーガイド表示「あり」かつ方向キー強調表示「あり」に設定されていれば（Ｓ７２：ＹＥＳ）、強調表示させる強調キーとして左方向キー３３Ｃが設定されているか否かを判定する（Ｓ７４）。強調キーとして左方向キー３３Ｃが設定されていれば（Ｓ７４：ＹＥＳ）、左方向キー３３Ｃの発光部３２Ａを点灯させ（Ｓ７６）、Ｓ９２の処理に移行する。
【００２８】
また、強調キーとして左方向キー３３Ｃが設定されていなければ（Ｓ７４：ＮＯ）、強調キーとして右方向キー３３Ｄが設定されているか否かを判定する（Ｓ７８）。強調キーとして右方向キー３３Ｄが設定されていれば（Ｓ７８：ＹＥＳ）、右方向キー３３Ｄの発光部３２Ａを点灯させ（Ｓ８０）、Ｓ９２の処理に移行する。
【００２９】
また、強調キーとして右方向キー３３Ｄが設定されていなければ（Ｓ７８：ＮＯ）、強調キーとして下方向キー３３Ｂが設定されているか否かを判定する（Ｓ８２）。強調キーとして下方向キー３３Ｂが設定されていれば（Ｓ８２：ＹＥＳ）、下方向キー３３Ｂの発光部３２Ａを点灯させ（Ｓ８４）、Ｓ９２の処理に移行する。
【００３０】
また、強調キーとして下方向キー３３Ｂが設定されていなければ（Ｓ８２：ＮＯ）、強調キーとして上方向キー３３Ａが設定されているものとして、上方向キー３３Ａの発光部３２Ａを点灯させ（Ｓ８６）、Ｓ９２の処理に移行する。
【００３１】
続いて、点灯対象の方向キーガイドをタッチパネル３１に表示させる（Ｓ９２）。ここで、Ｓ９２の処理は、例えば図６（Ａ）に示すように、ユーザによりフリック操作が入力された場合に実施される。なお、図６（Ａ）に示す矢印は、移動操作の際の移動方向（ユーザの指がタッチパネル３１に触れながら移動する方向）の一例を示している。この際、Ｓ９２の処理では、方向キーガイドとして、点灯するよう設定したキーに対応するメッセージを表示させる。
【００３２】
すなわち、上方向キー３３Ａまたは下方向キー３３Ｂを発光させるよう設定した場合には、図６（Ｂ）に示すように、「下の上下キーを使ってください」というように、上方向キー３３Ａまたは下方向キー３３Ｂの使用を促す方向キーガイドを表示させる。また、左方向キー３３Ｃまたは右方向キー３３Ｄを発光させるよう設定した場合には、左方向キー３３Ｃまたは右方向キー３３Ｄの使用を促す方向キーガイドを表示させる。
【００３３】
続いて、タイマをカウントアップする（Ｓ９４）。つまり、Ｓ９４の処理が実施された回数をカウントすることによって、方向キーガイドをタッチパネル３１に表示させてからの時間を測定する。
【００３４】
そして、方向キーガイドの表示後、設定時間が経過したか否かを判定する（Ｓ９６）。この処理では、タイマの値が設定時間に対応する値を超えたか否かを判定する。設定時間が経過していなければ（Ｓ９６：ＮＯ）、画面更新処理を終了する。
【００３５】
また、設定時間が経過していれば（Ｓ９６：ＹＥＳ）、タイマをリセットし（Ｓ９８）、方向キーガイド表示および方向キー強調表示を「なし」に設定する（Ｓ１０２）。続いて、点灯させていた方向キー３３を消灯させ（Ｓ１０４）、タッチパネル３１において、方向キーガイドを表示させる直前に表示させていた画像を表示させる（Ｓ１０６）。例えば、メニュー画面に対するフリック操作に対応して方向キーガイドを表示させた場合、元のメニュー画面を表示させる。
【００３６】
続いて、ユーザの操作に応じてその他の一般的な画像をタッチパネル３１に表示させるその他の画面処理を実施し（Ｓ１０８）、画面更新処理を終了する。
このような処理が終了すると、図４に戻り、入力通知があるか否かを判定する（Ｓ１６）。ここで、入力通知とは、タッチパネル３１において何らかの操作があった旨がタッチパネル３１から入力されたことや、操作キー３２による操作が入力されたことを示す。
【００３７】
入力通知がなければ（Ｓ１６：ＮＯ）、Ｓ１４の処理に戻る。また、入力通知があれば（Ｓ１６：ＹＥＳ）、タッチパネル３１においてフリック操作がされたか否かを判定する（Ｓ１８）。フリック操作がされていなければ（Ｓ１８：ＮＯ）、プッシュ操作がされたか否かを判定する（Ｓ２２）。
【００３８】
プッシュ操作がされていなければ（Ｓ２２：ＮＯ）、Ｓ１４の処理に戻る。また、プッシュ操作がされていれば（Ｓ２２：ＹＥＳ）、プッシュ操作処理を実施する（Ｓ２４）。プッシュ操作処理は、プッシュ操作が行われた際に、その操作を受け付ける処理である。
【００３９】
プッシュ操作処理では、図７に示すように、まず、方向キーガイド表示「あり」、かつ方向キー強調表示「あり」に設定されているか否かを判定する（Ｓ１２０）。方向キーガイド表示「あり」かつ方向キー強調表示「あり」に設定されていれば（Ｓ１２０：ＹＥＳ）、発光部３２Ａを点灯させた方向キー３３を示す点灯キーが操作されたか否かを判定する（Ｓ１２２）。点灯キーが操作されていなければ（Ｓ１２２：ＮＯ）、プッシュ操作処理を終了する。
【００４０】
また、点灯キーが操作されていれば（Ｓ１２２：ＹＥＳ）、タイマをリセットし（Ｓ１２４）、方向キーガイド表示および方向キー強調表示を「なし」に設定する（Ｓ１２６）。続いて、点灯させていた方向キー３３を消灯させ（Ｓ１２８）、タッチパネル３１において、方向キーガイドを表示させる直前に表示させていた画像を表示させる（Ｓ１３０）。そして、操作された方向キー３３におけるプッシュ操作に対応した内容をタッチパネル３１に表示させ（Ｓ１３２）、プッシュ操作処理を終了する。
【００４１】
ところで、Ｓ１２０の処理にて、方向キーガイド表示「なし」または方向キー強調表示「なし」に設定されていれば（Ｓ１２０：ＮＯ）、タッチパネル３１においてプッシュ操作がされたか否かを判定する（Ｓ１４０）。タッチパネル３１においてプッシュ操作がされていれば（Ｓ１４０：ＹＥＳ）、操作が有効な領域において操作がされたか否かを判定する（Ｓ１４２）。
【００４２】
操作が有効な領域における操作であれば（Ｓ１４２：ＹＥＳ）、操作が有効な領域のプッシュ操作に対応した内容をタッチパネル３１に表示させ（Ｓ１４４）、プッシュ操作処理を終了する。また、操作が有効な領域における操作でなければ（Ｓ１４２：ＮＯ）、プッシュ操作処理を終了する。
【００４３】
また、Ｓ１４０の処理において、タッチパネル３１においてプッシュ操作がされていなければ（Ｓ１４０：ＮＯ）、操作が有効とされている操作キー３２においてプッシュ操作がされたか否かを判定する（Ｓ１４６）。操作が有効な操作キー３２においてプッシュ操作がされていれば（Ｓ１４６：ＹＥＳ）、操作が有効な操作キー３２におけるプッシュ操作に対応した内容をタッチパネル３１に表示させ（Ｓ１４８）、プッシュ操作処理を終了する。また、操作が無効とされている操作キー３２においてプッシュ操作がされていれば（Ｓ１４６：ＮＯ）、プッシュ操作処理を終了する。
【００４４】
このようなプッシュ操作処理が終了すると、図４に戻り、Ｓ１４の処理に戻る。また、Ｓ１８の処理において、フリック操作がされていれば（Ｓ１８：ＹＥＳ）、フリックされた方向を判定する（Ｓ３０）。すなわち、タッチパネル３１上において物体が移動した方向を判定する。
【００４５】
フリックされた方向が上下の何れかであれば（Ｓ３０：ＮＯ）、現在タッチパネル３１において表示されている画像が上下キーを受け付ける画像であるか否かを判定する（Ｓ３２）。上下キーを受け付ける画像でなければ（Ｓ３２：ＮＯ）、Ｓ１４の処理に戻る。また、上下キーを受け付ける画像であれば（Ｓ３２：ＹＥＳ）、フリック方向が上下の何れかであるかを判定する（Ｓ３４）。
【００４６】
フリック方向が下であれば（Ｓ３４：ＮＯ）、上方向キー３３Ａを、強調表示するキーを表す強調キーとして設定し（Ｓ３６）、Ｓ５２の処理に移行する。また、フリック方向が上であれば（Ｓ３４：ＹＥＳ）、下方向キー３３Ｂを強調キーとして設定し（Ｓ３８）、Ｓ５２の処理に移行する。
【００４７】
つまり、Ｓ３６、Ｓ３８の処理（Ｓ４６、Ｓ４８の処理も同様）では、フリックされた方向と反対方向の方向キー３３を強調キーとして設定する。
ところで、Ｓ３０の処理において、フリックされた方向が左右の何れかであれば（Ｓ３０：ＹＥＳ）、現在タッチパネル３１において表示されている画像が左右キーを受け付ける画像であるか否かを判定する（Ｓ４２）。左右キーを受け付ける画像でなければ（Ｓ４２：ＮＯ）、Ｓ１４の処理に戻る。また、左右キーを受け付ける画像であれば（Ｓ４２：ＹＥＳ）、フリック方向が左右の何れかであるかを判定する（Ｓ４４）。
【００４８】
フリック方向が左であれば（Ｓ４４：ＮＯ）、右方向キー３３Ｄを強調キーとして設定し（Ｓ４６）、Ｓ５２の処理に移行する。また、フリック方向が右であれば（Ｓ４４：ＹＥＳ）、左方向キー３３Ｃを強調キーとして設定し（Ｓ４８）、Ｓ５２の処理に移行する。
【００４９】
続いて、方向キーガイド表示について表示を行う「あり」に設定するとともに、方向キー強調表示について強調表示を行う「あり」に設定し（Ｓ５２）、Ｓ１４の処理に戻る。
［本実施形態による効果］
本発明の表示装置（１）においては、画像を表示可能なタッチパネル（３１）と、タッチパネル（３１）に表示された画像に対する指示を入力する操作キー（３２）と、タッチパネル（３１）または操作キー（３２）へのユーザによる操作に応じてタッチパネル（３１）に表示させる画像を生成する処理を行う制御部（１０）と、を備え、制御部（１０）は、タッチパネル（３１）に画像を表示させる表示処理（Ｓ１３、Ｓ９２、Ｓ１０６、Ｓ１０８、Ｓ１３０、Ｓ１３２、Ｓ１４４、Ｓ１４８、Ｓ３５４、Ｓ３６８、Ｓ５２２、Ｓ５２４、Ｓ５４６、Ｓ５４８）と、タッチパネル（３１）の表面において物体を移動させる操作を表す移動操作を検出する移動操作検出処理（Ｓ１８、Ｓ３０８、Ｓ３５０）と、移動操作が検出されると、操作キー（３２）を使用するよう報知を行う報知処理（Ｓ７６，Ｓ８０，Ｓ８４，Ｓ８６、Ｓ９２、Ｓ３１０、Ｓ３３２、Ｓ４２２，Ｓ４２４、Ｓ５２２）と、を実施する。
【００５０】
このような表示装置（１）によれば、操作キー（３２）を使用するよう報知するので、ユーザに気付かせやすくすることができる。よって、タッチパネル（３１）を直感的な操作に対応させない場合であってもユーザによる操作性を向上させることができる。
【００５１】
また、表示装置（１）において制御部（１０）は、ユーザが移動操作を入力する画像として操作キー（３２）と関連付けられた対象画像がタッチパネル（３１）に表示されているか否かを判断する判断処理を実施し、報知処理では、対象画像がタッチパネル（３１）に表示されている場合において移動操作が検出されると、操作キー（３２）を使用するよう報知を行う。
【００５２】
このような表示装置（１）によれば、操作キー（３２）を使用することをユーザに気付かせやすくすることができる。
また、表示装置（１）において、複数の操作キー（３２）を備えている場合、対象画像毎に、各対象画像に関連付けられた操作キー（３２）を使用するよう報知する。すなわち、対象画像は、複数の画像がある方向に並べられた画像であり、制御部（１０）は、対象方向を構成する画像が並ぶ方向を表す画像方向を取得する画像方向取得処理（Ｓ１３）と、移動操作の方向が画像方向と一致するか否かを判定する方向一致判定処理（Ｓ３２，Ｓ４２）と、移動操作の方向が画像方向と一致しない場合に、報知処理による報知を禁止する報知禁止処理（Ｓ３２、Ｓ４２：ＮＯ）と、を実施する。
【００５３】
つまり、移動操作の方向と画像が並べられた方向（画像方向）とが一致し、移動操作の方向が画像を移動可能な方向である場合だけ報知を行い、移動操作の方向が画像方向と一致せず、移動操作の方向が画像を移動不可能な方向である場合には報知をしない。このような表示装置（１）によれば、移動操作の方向が画像を移動可能な方向である場合、つまり必要な場合だけ報知を行う構成とすることができる。
【００５４】
また、表示装置（１）において、報知処理では、タッチパネル（３１）に操作キー（３２）を使用する旨を表す誘導表示を表示させる。
このような表示装置（１）によれば、操作されたタッチパネル（３１）に誘導表示を行うので操作キー（３２）を使用する旨をユーザにより気付かせやすくすることができる。
【００５５】
また、表示装置（１）において制御部（１０）は、誘導表示を行ってからの時間を計時する計時処理（Ｓ９４、Ｓ９６）と、計時処理により計時する時間が規定時間に達すると、誘導表示に代えて、誘導表示が表示される前の画像を表す前画像をタッチパネル（３１）に表示させる第１報知解除処理（Ｓ１０６）と、を実施する。
【００５６】
このような表示装置（１）によれば、誘導表示が表示され続けることを抑制することができる。
また、表示装置（１）において制御部（１０）は、誘導表示を表示させている際に、操作キー（３２）が操作されると、誘導表示に代えて、誘導表示が表示される前の画像を表す前画像をタッチパネル（３１）に表示させる第２報知解除処理（Ｓ１２２、Ｓ１３０、Ｓ５４６）を実施する。
【００５７】
このような表示装置（１）によれば、操作キー（３２）が操作されると誘導表示が表示される前の画像に変更するので、ユーザの利便性を向上させることができる。
また、表示装置（１）において報知処理では、誘導表示が表示されているときに、ユーザが操作キー（３２）を視認する際の視認のしやすさを表す視認レベルを高くする。
【００５８】
このような表示装置（１）によれば、ユーザが操作キー（３２）を視認する際の視認レベルを高くするので、操作キー（３２）を操作すべきことをユーザに認識させることができる。
【００５９】
また、表示装置（１）において報知処理では、誘導表示の後に表示された前画像が表示されているときに、ユーザが操作キー（３２）を視認する際の視認のしやすさを表す視認レベルを高くする。
【００６０】
このような表示装置（１）によれば、誘導表示の表示が終了した後であっても、操作キー（３２）を操作すべきことをユーザに認識させることができる。
また、表示装置（１）において報知処理では、ユーザが操作キー（３２）を視認する際の視認のしやすさを表す視認レベルを高くする。
【００６１】
このような表示装置（１）によれば、ユーザが操作キー（３２）を視認する際の視認レベルを高くするので、操作キー（３２）を操作すべきことをユーザに認識させることができる。
【００６２】
また、表示装置（１）においては、操作キー（３２）を複数備え、複数の操作キー（３２）のうちの少なくとも１つは移動操作に対応する有効キーとして設定されており、報知処理では、有効キーの視認レベルを高くする。
【００６３】
このような表示装置（１）によれば、有効キーを操作すべきことをユーザに認識させることができる。
また、表示装置（１）において操作キー（３２）は、発光部（３２Ａ）を備え、報知処理では、操作キー（３２）が有する発光部を発光させる。
【００６４】
このような表示装置（１）によれば、発光させることによって操作キー（３２）を操作すべきことをユーザに認識させることができる。
また、表示装置（１）において制御部（１０）は、視認レベルを高くしているときに、操作キー（３２）が操作されると、視認レベルを高くする前のレベルに戻す第３報知解除処理（Ｓ１３０）を実施する。
【００６５】
このような表示装置（１）によれば、操作キー（３２）を使う旨がユーザに認識されたとみなすと、視認レベルを高くする前のレベルに戻すので、ユーザに通常通りの操作を実施させることができる。
【００６６】
また、表示装置（１）においては、操作キー（３２）を複数備え、複数の操作キー（３２）のうちの少なくとも１つは移動操作に対応する有効キーとして設定されており、報知処理では、有効キーの視認レベルを高くし、第３報知解除処理では、視認レベルを高くしているときに、有効キーが操作されると、視認レベルを高くする前のレベルに戻す。
【００６７】
このような表示装置（１）によれば、有効キーを使う旨がユーザに認識されたとみなすと、視認レベルを高くする前のレベルに戻すので、ユーザに通常通りの操作を実施させることができる。
【００６８】
また、表示装置（１）において制御部（１０）は、移動操作が検出されると、移動操作の種類を特定する操作種類特定処理（Ｓ３０、Ｓ３４、Ｓ４４）を実施し、報知処理において、規定の種類の移動操作に対応する操作キー（３２）を使用するよう報知を行う。
【００６９】
このような表示装置（１）によれば、移動操作の種類に対応する操作キー（３２）を使用するようユーザに報知するので、ユーザに行うべき操作を認識させやすくすることができる。
【００７０】
また、表示装置（１）において操作キー（３２）は、タッチパネル（３１）に表示された画像の移動方向を指定するための方向キー（３３Ａ、３３Ｂ、３３Ｃ、３３Ｄ）として構成されており、操作種類特定処理では、規定の種類の移動操作として、タッチパネル（３１）の表面を払う操作を表すフリック操作を特定する。
【００７１】
このような表示装置（１）によれば、フリック操作がされたときに方向キーを操作するよう報知することができる。
また、表示装置（１）において方向キーとして上下左右のそれぞれに対応する方向キーを備え、操作種類特定処理では、移動操作の方向も特定し、報知処理では、移動操作の方向が上下の何れかである場合に上下のうちの少なくとも一方に対応する方向キーにおいてユーザが操作キー（３２）を視認する際の視認のしやすさを表す視認レベルを高くし、移動操作の方向が左右の何れかである場合に左右のうちの少なくとも一方に対応する方向キーにおける視認レベルを高くする。
【００７２】
このような表示装置（１）によれば、上下左右の方向キーが存在する場合に、操作すべき方向キーをユーザに容易に認識させることができる。
また、表示装置（１）において報知処理では、移動操作の方向と反対方向の方向キーにおける視認レベルのみを高くする。
【００７３】
すなわち、例えば下方向にフリック操作がされた場合、ユーザは画像を下側に移動させたいものとして、この操作を方向キーで行わせるために上向きの方向キーについて視認レベルを高くする。よって、このような表示装置（１）によれば、ユーザが行いたい操作に対応した方向キーの操作を促す的確な報知を行うことができる。
【００７４】
［第２実施形態］
次に、別形態の印刷装置２について説明する。本実施形態（第２実施形態）では、第１実施形態の印刷装置１と異なる箇所のみを詳述し、第１実施形態の印刷装置１と同様の箇所については、同一の符号を付して説明を省略する。
【００７５】
第２実施形態の印刷装置２においては、方向キーガイドの表示を終了した後であっても、方向キー３３が操作されるまで方向キー３３の強調表示を継続する。具体的には、第２実施形態の印刷装置２において実施される処理では、図８に示す画面更新処理を実施する。
【００７６】
すなわち、第２実施形態の画面更新処理では、Ｓ９８の処理の後、方向キー強調表示の設定を変更することなく、方向キーガイド表示の設定のみを「なし」に設定する（Ｓ２０２）。そして、前述のＳ１０６以下の処理を実施する。
【００７７】
また、第２実施形態のプッシュ操作処理では、図９に示すように、Ｓ１２０の処理で否定判定された場合、方向キーガイド表示「なし」、かつ方向キー強調表示「あり」に設定されているか否かを判定する（Ｓ２２０）。方向キーガイド表示「あり」、または方向キー強調表示「なし」に設定されていれば（Ｓ２２０：ＮＯ）、Ｓ１４０の処理に移行する。
【００７８】
また、方向キーガイド表示「あり」、かつ方向キー強調表示「なし」に設定されていれば（Ｓ２２０：ＹＥＳ）、点灯キーが操作されたか否かを判定する（Ｓ２２２）。点灯キーが操作されていなければ（Ｓ２２２：ＮＯ）、プッシュ操作処理を終了する。
【００７９】
また、点灯キーが操作されていれば（Ｓ２２２：ＹＥＳ）、方向キー強調表示の設定を「なし」に設定し（Ｓ２２４）、点灯させていた方向キー３３を消灯させる（Ｓ２２６）。そして、点灯キーの操作に対応した内容の画像をタッチパネル３１に表示させ（Ｓ２２８）、プッシュ操作処理を終了する。
【００８０】
［第３実施形態］
次に、第３実施形態の印刷装置３について説明する。第３実施形態の印刷装置３においては、方向キーガイドを表示させることなく、方向キー３３の強調表示のみを行う。第３実施形態の印刷装置３において実施されるメイン処理では、図１０に示すように、まず、方向キー強調表示について強調表示を行わない「なし」に設定する（Ｓ１２）。
【００８１】
続いて、Ｓ１３の処理と同様に、印刷時の設定を行うためのメニュー画像をタッチパネル３１に表示させる（Ｓ３０３）。続いて、画面更新処理を実施する（Ｓ３０４）。
第３実施形態の画面更新処理では、図１１に示すように、まず、方向キー強調表示「あり」に設定されているか否かを判定する（Ｓ３３０）。方向キー強調表示「なし」に設定されていれば（Ｓ３３０：ＮＯ）、画面更新処理を終了する。
【００８２】
方向キー強調表示「あり」に設定されていれば（Ｓ３３０：ＹＥＳ）、強調表示させる強調キーとして、全ての方向キー３３の発光部３２Ａを点灯させ（Ｓ３３２）、Ｓ１０８と同様に、その他の画面処理を実施する（Ｓ３３４）。このような処理が終了すると、画面更新処理を終了する。
【００８３】
このような処理が終了すると、図１０に戻り、入力通知があるか否かを判定する（Ｓ３０６）。入力通知がなければ（Ｓ３０６：ＮＯ）、Ｓ３０４の処理に戻る。また、入力通知があれば（Ｓ３０６：ＹＥＳ）、タッチパネル３１においてフリック操作がされたか否かを判定する（Ｓ３０８）。
【００８４】
フリック操作がされていれば（Ｓ３０８：ＹＥＳ）、方向キー強調表示について強調表示を行う「あり」に設定し（Ｓ３１０）、Ｓ３０４の処理に戻る。また、フリック操作がされていなければ（Ｓ３０８：ＮＯ）、プッシュ操作がされたか否かを判定する（Ｓ３１２）。
【００８５】
プッシュ操作がされていなければ（Ｓ３１２：ＮＯ）、Ｓ３０４の処理に戻る。また、プッシュ操作がされていれば（Ｓ３１２：ＹＥＳ）、プッシュ操作処理を実施する（Ｓ３１４）。
【００８６】
第３実施形態のプッシュ操作処理では、図１２に示すように、まず、タッチパネル３１においてプッシュ操作がされたか否かを判定する（Ｓ３５０）。タッチパネル３１においてプッシュ操作がされていれば（Ｓ３５０：ＹＥＳ）、操作が有効な領域において操作がされたか否かを判定する（Ｓ３５２）。
【００８７】
操作が有効な領域における操作であれば（Ｓ３５２：ＹＥＳ）、操作が有効な領域のプッシュ操作に対応した内容をタッチパネル３１に表示させ（Ｓ３５４）、プッシュ操作処理を終了する。また、操作が有効な領域における操作でなければ（Ｓ３５２：ＮＯ）、プッシュ操作処理を終了する。
【００８８】
また、Ｓ３５０の処理において、タッチパネル３１においてプッシュ操作がされていなければ（Ｓ３５０：ＮＯ）、方向キー強調表示「あり」に設定されているか否かを判定する（Ｓ３６０）。方向キー強調表示「なし」に設定されていれば（Ｓ３６０：ＮＯ）、Ｓ３６６の処理に移行する。
【００８９】
また、方向キー強調表示「あり」に設定されていれば（Ｓ３６０：ＹＥＳ）、方向キー強調表示の設定を「なし」に設定し（Ｓ３６２）、点灯キーを消灯させる（Ｓ３６４）。
そして、操作が有効とされている操作キー３２においてプッシュ操作がされたか否かを判定する（Ｓ３６６）。操作が有効な操作キー３２においてプッシュ操作がされていれば（Ｓ３６６：ＹＥＳ）、操作が有効な操作キー３２におけるプッシュ操作に対応した内容をタッチパネル３１に表示させ（Ｓ３６８）、プッシュ操作処理を終了する。また、操作が無効とされている操作キー３２においてプッシュ操作がされていれば（Ｓ３６６：ＮＯ）、プッシュ操作処理を終了する。
【００９０】
このようなプッシュ操作処理が終了すると、図１０に戻り、Ｓ３０４の処理に戻る。
［第４実施形態］
次に、第４実施形態の印刷装置４について説明する。本実施形態の印刷装置４では、フリック方向に応じて上下または左右の方向キー３３を強調表示させる。
【００９１】
すなわち、第４実施形態の印刷装置４において実施されるメイン処理では、図１３に示すように、Ｓ３０の処理にて否定判定されると、上方向キー３３Ａおよび下方向キー３３Ｂを強調キーとして設定し（Ｓ４０２）、Ｓ５２の処理に移行する。また、Ｓ３０の処理にて肯定判定されると、左方向キー３３Ｃおよび右方向キー３３Ｄを強調キーとして設定し（Ｓ４０４）、Ｓ５２の処理に移行する。
【００９２】
また、第４実施形態の画面更新処理では、図１４に示すように、Ｓ７２の処理にて肯定判定されると、左方向キー３３Ｃおよび右方向キー３３Ｄを強調キーとして設定されているか否かを判定する（Ｓ４２０）。左方向キー３３Ｃおよび右方向キー３３Ｄを強調キーとして設定されていなければ（Ｓ４２０：ＮＯ）、上方向キー３３Ａおよび下方向キー３３Ｂを強調キーとして設定されているものとして、上方向キー３３Ａおよび下方向キー３３Ｂを点灯させ（Ｓ４２２）、Ｓ９２の処理に移行する。
【００９３】
また、左方向キー３３Ｃおよび右方向キー３３Ｄを強調キーとして設定されていれば（Ｓ４２０：ＹＥＳ）、左方向キー３３Ｃおよび右方向キー３３Ｄを点灯させ（Ｓ４２４）、Ｓ９２の処理に移行する。また、第４実施形態のプッシュ操作処理では、図１５に示すように、Ｓ１２０の処理にて肯定判定された場合、プッシュ操作処理を終了する。つまり、一時的にプッシュ操作を受け付けないようにする。
【００９４】
このようにすることで、印刷装置４における処理を簡素化することができる。また、ユーザに対する報知を設定時間だけ継続するので、確実に報知を行うことができる。
［第５実施形態］
次に、第５実施形態の印刷装置５について説明する。第５実施形態の印刷装置５においては、方向キー強調表示を実施せず、方向キーガイドのみを表示させる。
【００９５】
第５実施形態の印刷装置５が実施するメイン処理では、図１６に示すように、まず、方向キーガイド表示を「なし」に設定する（Ｓ５０２）。続いて、Ｓ１３の処理と同様に、印刷時の設定を行うためのメニュー画像をタッチパネル３１に表示させる（Ｓ５０３）。そして、画面更新処理を実施する（Ｓ５０４）。
【００９６】
第５実施形態の画面更新処理では、図１７に示すように、まず、方向キーガイド表示「あり」に設定されているか否かを判定する（Ｓ５２０）。方向キーガイド表示「なし」に設定されていれば（Ｓ５２０：ＮＯ）、画面更新処理を終了する。
【００９７】
方向キーガイド表示「あり」に設定されていれば（Ｓ５２０：ＹＥＳ）、Ｓ９２の処理と同様に、方向キーガイドをタッチパネル３１に表示させる（Ｓ５２２）。そして、Ｓ１０８の処理と同様に、その他の画面処理を実施し（Ｓ５２４）、画面更新処理を終了する。
【００９８】
このような画面更新処理が終了すると、図１６に戻り、Ｓ３０４以下の処理を実施する。
第５実施形態のプッシュ操作処理では、図１８に示すように、まず、方向キーガイド表示「あり」に設定されているか否かを判定する（Ｓ５４０）。方向キーガイド表示「あり」に設定されていれば（Ｓ５４０：ＹＥＳ）、操作が有効な方向キー３３を示す対象キーが操作されたか否かを判定する（Ｓ５４２）。
【００９９】
ここで、対象キーは、方向キーガイドにおいてユーザに操作するよう要求した操作キー３２を示す。対象キーが操作されていなければ（Ｓ５４２：ＮＯ）、プッシュ操作処理を終了する。
【０１００】
また、対象キーが操作されていれば（Ｓ５４２：ＹＥＳ）、方向キーガイド表示を「なし」に設定する（Ｓ５４４）。続いて、タッチパネル３１において、方向キーガイドの前に表示させていた画像を表示させる（Ｓ５４６）。
【０１０１】
そして、対象キーにおけるプッシュ操作に対応した内容をタッチパネル３１に表示させ（Ｓ５４８）、プッシュ操作処理を終了する。
ところで、Ｓ５４０の処理にて、方向キーガイド表示「なし」に設定されていれば（Ｓ５４０：ＮＯ）、Ｓ１４０の処理に移行する。
【０１０２】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲に関連する記載にも適宜使用しているが、各請求項に係る発明の理解を容易にする目的で使用しており、各請求項に係る発明の技術的範囲を限定する意図ではない。
【０１０３】
また、上記実施形態においては、ユーザが操作キー３２を視認する際の視認のしやすさを表す視認レベルを高くする例として、図１９（Ａ）に示すように、強調させる方向キー３３（図１９では上方向キー３３Ａおよび下方向キー３３Ｂ）を点灯させるよう構成したが、この構成以外の態様を採用してもよい。例えば、複数の操作キー３２が配置された領域をタッチパネル３１とは別のタッチパネルとして構成しておき、図１９（Ｂ）〜図１９（Ｅ）に示すような表示態様で視認レベルを高くしてもよい。
【０１０４】
すなわち、図１９（Ｂ）に示すように、このタッチパネル上において、強調させる対象となる方向キー３３を振動させたり、図１９（Ｃ）に示すように、強調させる対象となる方向キー３３を拡大させて表示させたりしてもよい。また、或いは、図１９（Ｄ）に示すように、強調表示させない他の操作キー３２を小さく表示させたり、図１９（Ｅ）に示すように、他の操作キー３２の少なくとも一部を表示させたりしてもよい。
【０１０５】
このようにしても、視認レベルを高くすることができる。
【符号の説明】
【０１０６】
１〜５…印刷装置、１０…制御部、１１…ＣＰＵ、１２…メモリ、１５…本体部、２０…印刷部、３０…入出力部、３１…タッチパネル、３２…操作キー、３２Ａ…発光部、３３…方向キー、３３Ａ…上方向キー、３３Ｂ…下方向キー、３３Ｃ…左方向キー、３３Ｄ…右方向キー、３４…その他のキー。
【図１】
2015191283.tif 000003
【図３】
2015191283.tif 000004
【図４】
2015191283.tif 000005
【図５】
2015191283.tif 000006
【図７】
2015191283.tif 000007
【図８】
2015191283.tif 000008
【図９】
2015191283.tif 000009
【図１０】
2015191283.tif 000010
【図１１】
2015191283.tif 000011
【図１２】
2015191283.tif 000012
【図１３】
2015191283.tif 000013
【図１４】
2015191283.tif 000014
【図１５】
2015191283.tif 000015
【図１６】
2015191283.tif 000016
【図１７】
2015191283.tif 000017
【図１８】
2015191283.tif 000018
【図２】
2015191283.tif 000019
【図６】
2015191283.tif 000020
【図１９】
2015191283.tif 000021